(57)【特許請求の範囲】
【請求項１】
印字対象の画像についてブラック印字率およびカラー印字率を計算する印字率計算部と、
前記印字率計算部により計算されたカラー印字率が所定の基準値より高い場合に、第１の指標と第２の指標の両方に基づいて、印字色を保持しつつ印字によるトナー消費量を削減するトナー削減画像処理を実行するか否かを判定する判定部と、
前記判定部により前記トナー削減画像処理を実行すると判定された場合に前記トナー削減画像処理を実行する画像処理部とを備え、
前記第１の指標は、過去の前記カラー印字率および過去の前記ブラック印字率に基づく、カラー印字に対比したモノクロ印字の相対的な割合を示し、
前記第２の指標は、過去の前記カラー印字率に基づく、カラー印字の絶対的な量を示し、
前記第１の指標は、前記カラー印字率および前記ブラック印字率の和に対する前記ブラック印字率の割合が所定の第１閾値を超えた回数、または前記カラー印字率および前記ブラック印字率の和に対する前記ブラック印字率の割合が所定の第１閾値以上であった回数であり、
前記第２の指標は、前記カラー印字率が所定の第２閾値より低かった回数、または前記カラー印字率が所定の第２閾値以下であった回数であり、
前記判定部は、前記第１の指標が所定の第３閾値より高い場合、および／または前記第２の指標が所定の第４閾値より低い場合、前記トナー削減画像処理を実行すると判定すること、
を特徴とする画像形成装置。
【請求項２】
印字対象の画像についてブラック印字率およびカラー印字率を計算し、さらに前記カラー印字率から課金額を計算する印字率計算部と、
前記印字率計算部により計算された課金額が所定の基準値より高い場合に、第１の指標と第２の指標の両方に基づいて、印字色を保持しつつ印字によるトナー消費量を削減するトナー削減画像処理を実行するか否かを判定する判定部と、
前記判定部により前記トナー削減画像処理を実行すると判定された場合に前記トナー削減画像処理を実行する画像処理部とを備え、
前記第１の指標は、過去の前記カラー印字率および過去の前記ブラック印字率に基づく、カラー印字に対比したモノクロ印字の相対的な割合を示し、
前記第２の指標は、過去の前記カラー印字率に基づく、カラー印字の絶対的な量を示し、
前記課金額は、所定の課金体系において前記カラー印字率の複数レンジのそれぞれに対応した複数の額のうちの、前記カラー印字率が属するレンジに対応する額であって、
前記画像処理部は、前記印字率計算部により計算された課金額に対応するレンジより前記課金額が低いレンジに前記カラー印字率が入るように、前記トナー削減画像処理を実行し、
前記第１の指標は、前記カラー印字率および前記ブラック印字率の和に対する前記ブラック印字率の割合が所定の第１閾値を超えた回数、または前記カラー印字率および前記ブラック印字率の和に対する前記ブラック印字率の割合が所定の第１閾値以上であった回数であり、
前記第２の指標は、前記カラー印字率が所定の第２閾値より低かった回数、または前記カラー印字率が所定の第２閾値以下であった回数であり、
前記判定部は、前記第１の指標が所定の第３閾値より高い場合、および／または前記第２の指標が所定の第４閾値より低い場合、前記トナー削減画像処理を実行すると判定すること、
を特徴とする画像形成装置。
【請求項３】
前記印字率計算部は、印字の１ページごとに、前記ブラック印字率および前記カラー印字率を計算し、計算した前記ブラック印字率および前記カラー印字率に基づき、前記第１の指標の前記回数および前記第２の指標の前記回数をカウントアップするか否かを判定し、
前記判定部は、印字の１ページごとに、前記トナー削減画像処理を実行するか否かを判定すること、
を特徴とする請求項１または請求項２記載の画像形成装置。
【請求項４】
前記トナー削減画像処理は、黒生成処理を含み、
前記画像処理部は、前記黒生成処理において、前記カラー印字率に応じて、黒以外の色から生成される黒の量を変更すること、
を特徴とする請求項１から請求項３のうちのいずれか１項記載の画像形成装置。
【請求項５】
前記トナー削減画像処理は、画像の高濃度部分の濃度を低くする処理を含むことを特徴とする請求項１から請求項３のうちのいずれか１項記載の画像形成装置。
【請求項６】
前記第１の指標および前記第２の指標は、ユーザーごとに特定され、
前記画像処理部は、ユーザー設定情報に基づいて、前記トナー削減画像処理を実行するか否かを決定すること、
を特徴とする請求項１から請求項５のうちのいずれか１項記載の画像形成装置。
【請求項７】
前記印字率計算部は、複数のカラートナー色のそれぞれについての印字率の最大値を、前記カラー印字率とすることを特徴とする請求項１から請求項６のうちのいずれか１項記載の画像形成装置。
【発明の詳細な説明】
【技術分野】
【０００１】
本発明は、画像形成装置に関するものである。
【背景技術】
【０００２】
一般に、プリンター、複合機などの画像形成装置の管理者は、トナー消費量を少なくしたいという要求を有している。他方、画像形成装置の一般ユーザーには、印刷画質が高いほうが好まれる。また、課金額については、オフィスなどでは、一般ユーザーはあまり意識することはないが、管理者は、課金額を少なくしたいという要求を有している。また、一般ユーザーが課金額を直接支払う場合、一般ユーザーも、課金額を少なくしたいという要求を有している。上述のような要求に対応すべく、各種画像形成装置が提案されている。
【０００３】
ある画像形成装置は、トナー消費量やその概略コストをユーザーに通知する（例えば特許文献１参照）。別の画像形成装置は、希望金額内で可能な印刷方式を表示し、ユーザーに印刷方式を選択させる（例えば特許文献２参照）。
【先行技術文献】
【特許文献】
【０００４】
【特許文献１】特開２００４−１７７７３６号公報
【特許文献２】特開２００２−２６８８６１号公報
【発明の概要】
【発明が解決しようとする課題】
【０００５】
上述の要求をすべて満たすため、印刷画質を高くしつつ、トナー消費量ひいては課金額を低くすることが好ましいが、これらを常に両立させることは困難である。このため、いずれかを優先させることとなるが、ユーザーや印刷物によって、いずれを優先するかが変化するため、総合的なユーザーや管理者の満足度（印刷画質、トナー消費量や課金額などの総合的な評価）を向上させることは難しい。
【０００６】
本発明は、上記の問題に鑑みてなされたものであり、画質が比較的重視されない場合を自動的に検出し、その場合に、画質をほとんど低下させずにトナー消費量（または、トナー消費量と課金額）を低くする画像形成装置を得ることを目的とする。
【課題を解決するための手段】
【０００７】
上記の課題を解決するために、本発明では以下のようにした。
【０００８】
本発明に係る画像形成装置の１つは、印字対象の画像についてブラック印字率およびカラー印字率を計算する印字率計算部と、印字率計算部により計算されたカラー印字率が所定の基準値より高い場合に、第１の指標と第２の指標の両方に基づいて、印字色を保持しつつ印字によるトナー消費量を削減するトナー削減画像処理を実行するか否かを判定する判定部と、判定部によりそのトナー削減画像処理を実行すると判定された場合にそのトナー削減画像処理を実行する画像処理部とを備える。そして、第１の指標は、過去のカラー印字率および過去のブラック印字率に基づく、カラー印字に対比したモノクロ印字の相対的な割合を示し、第２の指標は、過去のカラー印字率に基づく、カラー印字の絶対的な量を示す。また、上述の第１の指標は、カラー印字率およびブラック印字率の和に対するブラック印字率の割合が所定の第１閾値を超えた回数、またはカラー印字率およびブラック印字率の和に対するブラック印字率の割合が所定の第１閾値以上であった回数である。また、第２の指標は、カラー印字率が所定の第２閾値より低かった回数、またはカラー印字率が所定の第２閾値以下であった回数である。そして、判定部は、第１の指標が所定の第３閾値より高い場合、および／または第２の指標が所定の第４閾値より低い場合、トナー削減画像処理を実行すると判定する。
【０００９】
これにより、第１および第２の指標に基づいて、画質が比較的重視されない場合が自動的に検出され、その場合に、画質をほとんど低下させずにトナー消費量が低減される。また、第１および第２の指標に基づいて、画質が比較的重視されない場合が適切に検出される。
【００１０】
また、本発明に係る画像形成装置の１つは、印字対象の画像についてブラック印字率およびカラー印字率を計算し、さらにカラー印字率から課金額を計算する印字率計算部と、印字率計算部により計算された課金額が所定の基準値より高い場合に、第１の指標と第２の指標の両方に基づいて、印字色を保持しつつ印字によるトナー消費量を削減するトナー削減画像処理を実行するか否かを判定する判定部と、判定部によりトナー削減画像処理を実行すると判定された場合にトナー削減画像処理を実行する画像処理部とを備える。そして、第１の指標は、過去のカラー印字率および過去のブラック印字率に基づく、カラー印字に対比したモノクロ印字の相対的な割合を示し、第２の指標は、過去のカラー印字率に基づく、カラー印字の絶対的な量を示す。さらに、上述の課金額は、所定の課金体系においてカラー印字率の複数レンジのそれぞれに対応した複数の額のうちの、カラー印字率が属するレンジに対応する額である。そして、画像処理部は、印字率計算部により計算された課金額に対応するレンジより課金額が低いレンジにカラー印字率が入るように、トナー削減画像処理を実行する。また、上述の第１の指標は、カラー印字率およびブラック印字率の和に対するブラック印字率の割合が所定の第１閾値を超えた回数、またはカラー印字率およびブラック印字率の和に対するブラック印字率の割合が所定の第１閾値以上であった回数である。また、第２の指標は、カラー印字率が所定の第２閾値より低かった回数、またはカラー印字率が所定の第２閾値以下であった回数である。そして、判定部は、第１の指標が所定の第３閾値より高い場合、および／または第２の指標が所定の第４閾値より低い場合、トナー削減画像処理を実行すると判定する。
【００１１】
これにより、第１および第２の指標に基づいて、画質が比較的重視されない場合が自動的に検出され、その場合に、画質をほとんど低下させずにトナー消費量と課金額が低減される。また、第１および第２の指標に基づいて、画質が比較的重視されない場合が適切に検出される。
【００１４】
また、本発明に係る画像形成装置は、上記の画像形成装置のいずれかに加え、次のようにしてもよい。この場合、印字率計算部は、印字の１ページごとに、ブラック印字率およびカラー印字率を計算し、計算したブラック印字率およびカラー印字率に基づき、第１の指標についての上述の回数および第２の指標についての上述の回数をカウントアップするか否かを判定し、判定部は、印字の１ページごとに、トナー削減画像処理を実行するか否かを判定する。
【００１５】
これにより、１ページごとに、画質が比較的重視されない場合が自動的に検出され、画質が比較的重視されないページについてはトナー削減画像処理が施される。
【００１６】
また、本発明に係る画像形成装置は、上記の画像形成装置のいずれかに加え、次のようにしてもよい。この場合、上述のトナー削減画像処理は、黒生成処理を含み、画像処理部は、その黒生成処理において、上述のカラー印字率に応じて、黒以外の色から生成される黒の量を変更する。
【００１７】
これにより、画質をほとんど低下させずに、トナー消費量が削減される。
【００１８】
また、本発明に係る画像形成装置は、上記の画像形成装置のいずれかに加え、次のようにしてもよい。この場合、上述のトナー削減画像処理は、画像の高濃度部分の濃度を低くする処理を含む。
【００１９】
これにより、画質をほとんど低下させずに、トナー消費量が削減される。
【００２０】
また、本発明に係る画像形成装置は、上記の画像形成装置のいずれかに加え、次のようにしてもよい。この場合、上述の第１の指標および第２の指標は、ユーザーごとに特定され、画像処理部は、ユーザー設定情報に基づいて、トナー削減画像処理を実行するか否かを決定する。
【００２１】
これにより、ユーザーごとに画質が比較的重視されない場合が自動的に検出され、その場合に、画質をほとんど低下させずにトナー消費量（または、トナー消費量と課金額）が低減される。
【００２２】
また、本発明に係る画像形成装置は、上記の画像形成装置のいずれかに加え、次のようにしてもよい。この場合、印字率計算部は、複数のカラートナー色（つまり、ブラック以外の色）のそれぞれについての印字率の最大値を、上述のカラー印字率とする。
【発明の効果】
【００２３】
本発明によれば、画像形成装置において、画質が比較的重視されない場合が自動的に検出され、その場合に、画質をほとんど低下させずにトナー消費量（または、トナー消費量と課金額）が低減される。
【図面の簡単な説明】
【００２４】
【図１】図１は、本発明の実施の形態に係る画像形成装置の機械的な内部構成の一部を示す側面図である。
【図２】図２は、本発明の実施の形態に係る画像形成装置の電気的な構成の一部を示すブロック図である。
【図３】図３は、実施の形態１に係る画像形成装置の動作について説明するフローチャートである。
【図４】図４は、実施の形態２において適用される課金体系を定義する課金テーブルの一例を示す図である。
【図５】図５は、実施の形態２に係る画像形成装置の動作について説明するフローチャートである。
【図６】図６は、実施の形態３において、ＣＭＹＫ各色に適用されるトナー削減画像処理についてのガンマ補正の特性の一例を示す図である。
【発明を実施するための形態】
【００２５】
以下、図に基づいて本発明の実施の形態を説明する。
【００２６】
実施の形態１．
【００２７】
図１は、本発明の実施の形態に係る画像形成装置の機械的な内部構成の一部を示す側面図である。画像形成装置は、プリンター、ファクシミリ装置、複写機、複合機などといった、電子写真方式の印刷機能を有する装置である。
【００２８】
この実施の形態の画像形成装置は、タンデム方式のカラー現像装置を有する。このカラー現像装置は、感光体ドラム１ａ〜１ｄ、露光装置２ａ〜２ｄおよび現像装置３ａ〜３ｄを有する。感光体ドラム１ａ〜１ｄは、シアン、マゼンタ、イエローおよびブラックの４色の感光体である。感光体ドラム１ａ〜１ｄは、例えばアモルファスシリコン製である。
【００２９】
露光装置２ａ〜２ｄは、感光体ドラム１ａ〜１ｄへそれぞれレーザー光を走査しつつ照射して静電潜像を形成する装置である。レーザー光は、感光体ドラム１ａ〜１ｄの回転方向（副走査方向）に垂直な方向（主走査方向）に走査される。露光装置２ａ〜２ｄは、レーザー光の光源であるレーザーダイオード、およびそのレーザー光を感光体ドラム１ａ〜１ｄへ導く光学素子（レンズ、ミラー、ポリゴンミラーなど）を含むレーザースキャニングユニットを有する。
【００３０】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００３１】
各色の現像装置３ａ〜３ｄは、シアン、マゼンタ、イエローおよびブラックの４色のトナーがそれぞれ充填されるトナーカートリッジと、トナーカートリッジ内のトナーホッパーから搬送されてくるトナーを感光体ドラム１ａ〜１ｄへ付着させる現像ユニットとを有し、そのトナーを感光体ドラム１ａ〜１ｄ上の静電潜像に付着させてトナー画像を形成する。
【００３２】
感光体ドラム１ａ、露光装置２ａおよび現像装置３ａにより、マゼンタの現像が行われ、感光体ドラム１ｂ、露光装置２ｂおよび現像装置３ｂにより、シアンの現像が行われ、感光体ドラム１ｃ、露光装置２ｃおよび現像装置３ｃにより、イエローの現像が行われ、感光体ドラム１ｄ、露光装置２ｄおよび現像装置３ｄにより、ブラックの現像が行われる。
【００３３】
中間転写ベルト４は、感光体ドラム１ａ〜１ｄに接触し、感光体ドラム１ａ〜１ｄ上のトナー画像を１次転写される環状の像担持体（中間転写体）である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００３４】
転写ローラー６は、搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００３５】
ローラー７は、クリーニングブラシを有し、クリーニングブラシを中間転写ベルト４に接触させ、用紙へのトナー画像の転写後に中間転写ベルト４に残ったトナーを除去する。
【００３６】
センサー８は、中間転写ベルト４に光線を照射し、中間転写ベルト４の表面またはその表面上のトナーパターンからの反射光を検出する。例えば、センサー８は、トナー濃度調整の際に、中間転写ベルト４の所定の領域に光線を照射し光線の反射光を検出し、その光量に応じた電気信号を出力する。
【００３７】
図２は、本発明の実施の形態に係る画像形成装置の電気的な構成の一部を示すブロック図である。図２に示すように、この画像形成装置は、通信装置１１と、演算処理装置１２と、印刷装置１３と、記憶装置１４とを備える。
【００３８】
通信装置１１は、ネットワークや周辺機器インターフェイスを介してホスト装置に接続可能であって、所定の通信プロトコルでデータ通信を行う装置である。
【００３９】
また、演算処理装置１２は、ＣＰＵ（Central Processing Unit）、ＲＯＭ（Read Only Memory）、ＲＡＭ（Random Access Memory）などを有するコンピューターであり、記憶装置１４や図示せぬ記憶装置、ＲＯＭなどからＲＡＭへプログラムをロードし、そのプログラムをＣＰＵで実行することにより、各種処理部を実現する。
【００４０】
また、印刷装置１３は、図１に示すような機械的構成で原稿画像を用紙に印刷する内部デバイスである。
【００４１】
記憶装置１４は、フラッシュメモリーなどの不揮発性の記憶装置であって、印字率データ３１を記憶するためのものである。印字率データ３１は、ユーザーごとの印字率履歴情報を含む。実施の形態１では、ページごとに、カラー印字率（この実施の形態では、ＣＭＹそれぞれの印字率の最大値）が、所定の閾値により定義される低印字レンジ、中印字レンジ、および高印字レンジのいずれかに分類され、また、ページごとに、カラー印字率およびブラック印字率の和に対するブラック印字率の割合（以下、モノクロ比率という）が、所定の閾値により定義される低モノクロ比率レンジ、中モノクロ比率レンジ、および高モノクロ比率レンジのいずれかに分類される。そして、実施の形態１では、印字率履歴情報として、印字率データ３１には、（ａ）カラー印字率が低印字レンジに分類されるページをカウントするカウンター（以下、カラー低印字カウンターという）の値と、（ｂ）モノクロ比率が高モノクロ比率に分類されるページをカウントするカウンター（以下、高モノクロ比率カウンターという）の値が含まれる。
【００４２】
例えば、各トナー色について、印字率が５％未満である範囲が低印字レンジとされ、印字率が５％以上２０％未満である範囲が中印字レンジとされ、印字率が２０％以上である範囲が高印字レンジとされる。
【００４３】
画像形成装置の起動後に、各種プログラムが演算処理装置１２により適宜実行される。この実施の形態では、演算処理装置１２により、図示せぬオペレーティングシステム、通信処理部２１、印刷要求処理部２２、画像処理部２３、印字率計算部２４、判定部２５、コントローラー２６などの処理部が実現される。
【００４４】
通信処理部２１は、通信装置１１を制御してホスト装置などとデータ通信を実行する処理部である。例えば、通信処理部２１は、ホスト装置から印刷要求としての原稿データを受信する。
【００４５】
また、印刷要求処理部２２は、操作パネルに対するユーザー操作に基づく印刷要求やホスト装置から供給される印刷要求を受け付け、その要求に応じた印刷ジョブを実行させる。例えば、ホスト装置から、ＰＤＬ（Page Description Language）、ＰＤＦ（Portable Document Format）などの所定のデータ形式の原稿データが印刷要求として受信されると、印刷要求処理部２２は、その原稿データから画像データを生成する。この画像データは、ビットマップデータであり、ホスト装置からビットマップデータの原稿データが受信されると、印刷要求処理部２２は、その原稿データをそのまま画像データとする。
【００４６】
また、画像処理部２３は、その画像データに対して、色変換、スクリーン処理などの所定の画像処理を実行して印刷データを生成し、コントローラー２６に供給する。
【００４７】
また、印字率計算部２４は、画像データまたは印刷データに基づいて、印字対象の画像についてブラック印字率およびカラー印字率を計算する。実施の形態１では、印字率計算部２４は、（ａ）印字でのページごとに、ＣＭＹＫ各色についての印字率を計算して、ブラック印字率（Ｋの印字率）およびカラー印字率（ここでは、ＣＭＹの印字率の最大値）を特定し、（ｂ）カラー印字率の値に基づいて、カラー低印字カウンターをカウントアップするか否かを判定し、カラー低印字カウンターをカウントアップすると判定した場合、カラー低印字カウンターをカウントアップし、（ｃ）ブラック印字率およびカラー印字率の値に基づいて、高モノクロ比率カウンターをカウントアップするか否かを判定し、高モノクロ比率カウンターをカウントアップすると判定した場合、高モノクロ比率カウンターをカウントアップする。
【００４８】
また、判定部２５は、印字率計算部２４により計算されたカラー印字率が所定の基準値より高い場合に、第１の指標と第２の指標とに基づいて、印字色を保持しつつ印字によるトナー消費量を削減する画像処理（以下、トナー削減画像処理という）を実行するか否かを判定する。
【００４９】
ここで、第１の指標は、過去のカラー印字率および過去のブラック印字率に基づく、カラー印字に対比したモノクロ印字の相対的な割合を示し、第２の指標は、過去のカラー印字率に基づく、カラー印字の絶対的な量を示す。
【００５０】
実施の形態１では、第１の指標は、高モノクロ比率カウンターの値であり、第２の指標は、カラー低印字カウンターの値である。つまり、第１の指標は、モノクロ比率が所定の第１閾値を超えた回数（または所定の第１閾値以上であった回数）であり、第２の指標は、カラー印字率が所定の第２閾値より低かった回数（または所定の第２閾値以下であった回数）であり、判定部２５は、その第１の指標が所定の第３閾値より高い場合、および／またはその第２の指標が所定の第４閾値より低い場合、トナー削減画像処理を実行すると判定する。
【００５１】
なお、トナー削減画像処理を実行すると判定された場合には、そのトナー削減画像処理は、画像処理部２３により実行される。つまり、画像処理部２３は、トナー削減画像処理を適用した印刷データを生成する。
【００５２】
実施の形態１では、このトナー削減画像処理は、黒生成処理を含み、画像処理部２３は、その黒生成処理において、トナー削減画像処理が実行されるページのカラー印字率に応じて、黒以外の色から生成される黒の量を変更する。
【００５３】
黒生成処理では、画素ごとに、ＣＭＹのいずれの色の値がゼロではない場合、ＣＭＹの各色の値を減少させてブラック（Ｋ）の値を増加させる。つまり、ＣＭＹの各色のトナーが、ブラック（Ｋ）１色のトナーに置き換えられる。これにより、ＣＭＹＫ全体でのトナー消費量が削減される。例えば、ＣＭＹの各色の濃度が２５％、３０％、４０％である場合に、ＣＭＹの各色の濃度をそれぞれ１０％ずつ減少させ、ブラックの濃度を１０％増加させる。この実施の形態１では、このＣＭＹからＫへの濃度変換量（あるいは濃度変換割合）が、カラー印字率に応じて決定される。このとき、カラー印字率が高いほど、濃度変換量（あるいは濃度変換割合）が大きくされる。
【００５４】
また、コントローラー２６は、印刷装置１３などの内部デバイスを監視および制御する処理部である。コントローラー２６は、上述のローラーなどを駆動する図示せぬ駆動源、現像バイアスおよび１次転写バイアスを印加するバイアス印加回路、並びに露光装置２を制御して、トナー画像の現像、転写および定着、並びに給紙、印刷および排紙を実行させる処理回路である。現像バイアスは、感光体ドラム１ａ〜１ｄと現像装置３ａ〜３ｄとの間にそれぞれ印加され、１次転写バイアスは、感光体ドラム１ａ〜１ｄと中間転写ベルト４との間にそれぞれ印加される。
【００５５】
つまり、コントローラー２６は、画像処理部２３により生成された印刷データに基づいて、電子写真プロセスで画像を印刷用紙に印刷する。
【００５６】
次に、上記実施の形態１に係る画像形成装置の動作について説明する。図３は、実施の形態１に係る画像形成装置の動作について説明するフローチャートである。
【００５７】
印字率計算部２４は、印字対象の１ページ分の画像について、画像データまたは印刷データから、各トナー色の印字率を計算し、ブラック印字率、カラー印字率、およびモノクロ比率を特定する（ステップＳ１）。印字率計算部２４は、カラー印字率が低印字レンジに属する場合には、カラー低印字カウンターをカウントアップし、モノクロ比率が高モノクロ比率レンジに属する場合には、高モノクロ比率カウンターをカウントアップする（ステップＳ２）。
【００５８】
そして、判定部２５は、カラー印字率が中印字レンジまたは高印字レンジに属するか否かを判定する（ステップＳ３）。
【００５９】
カラー印字率が中印字レンジまたは高印字レンジに属する場合には、高モノクロ比率カウンターが所定の閾値を超えているか、またはカラー低印字カウンターが所定の閾値を超えているときには（ステップＳ４，Ｓ５）、判定部２５は、トナー削減画像処理を、画像処理部２３に実行させる（ステップＳ６）。
【００６０】
例えば、印字ページをカウントするページカウンターを設けておき、ページカウンターの値の所定の割合（例えば、６０％）を、高モノクロ比率カウンターについての所定の閾値とし、同様に、ページカウンターの値の所定の割合（例えば、７０％）を、カラー低印字カウンターについての所定の閾値とする。
【００６１】
そして、画像処理部２３は、トナー削減画像処理を画像データに施し、トナー削減画像処理を施した画像データから印刷データを生成し、その印刷データをコントローラー２６に供給する。あるいは、画像処理部２３は、トナー削減画像処理を印刷データに施し、トナー削減画像処理を施した印刷データをコントローラー２６に供給する。コントローラー２６は、供給された印刷データに基づいて１ページの画像の印刷を実行させる（ステップＳ７）。
【００６２】
一方、カラー印字率が中印字レンジおよび高印字レンジのいずれにも属さない場合（つまり、カラー印字率が低印字レンジに属する場合）、または、カラー印字率が中印字レンジまたは高印字レンジに属するが、高モノクロ比率カウンターが所定の閾値以下であり、かつカラー低印字カウンターが所定の閾値以下であるときには、トナー削減画像処理は実行されない。したがって、この場合、画像処理部２３は、トナー削減画像処理を実行せずに、画像データから印刷データを生成し、その印刷データをコントローラー２６に供給する。コントローラー２６は、供給された印刷データに基づいて１ページの画像の印刷を実行させる（ステップＳ７）。
【００６３】
以上のように、上記実施の形態１によれば、印字率計算部２４は、印字対象の画像についてブラック印字率およびカラー印字率を計算し、判定部２５は、印字率計算部２４により計算されたカラー印字率が所定の基準値より高い場合に、第１の指標と第２の指標とに基づいて、印字色を保持しつつ印字によるトナー消費量を削減するトナー削減画像処理を実行するか否かを判定する。そして、画像処理部２３は、判定部２５によりそのトナー削減画像処理を実行すると判定された場合にそのトナー削減画像処理を実行する。
【００６４】
ここで、第１の指標は、過去のカラー印字率および過去のブラック印字率に基づく、カラー印字に対比したモノクロ印字の相対的な割合を示し、第２の指標は、過去のカラー印字率に基づく、カラー印字の絶対的な量を示す。具体的には、実施の形態１では、第１の指標は、高モノクロ比率カウンターの値であり、第２の指標は、カラー低印字カウンターの値である。
【００６５】
これにより、第１および第２の指標に基づいて、画質が比較的重視されない場合が自動的に検出され、その場合に、画質をほとんど低下させずにトナー消費量が低減される。
【００６６】
つまり、印刷対象の画像におけるカラー領域の広さに相関するカラー印字率で、まず、この印刷対象の画像に対してトナー削減画像処理が必要であるか否かが判定され（ステップＳ３）、次に、カラーに関する過去の傾向（高モノクロ比率カウンターの値およびカラー低印字カウンターの値）で、カラー印字が重視されているか否かが（ユーザーごとに）判定される（ステップＳ４，Ｓ５）。このように、印刷対象の特性とカラーに関する過去の傾向とから、画質が比較的重視されない場合が自動的に検出される。
【００６７】
そして、実施の形態１では、黒生成処理によって、印字色を保持しつつトナー消費量が削減される。つまり、印刷対象画像内のカラー領域が、配色を変化されずにカラー領域として印刷される。
【００６８】
実施の形態２．
【００６９】
本発明の実施の形態２に係る画像形成装置は、トナー削減画像処理で、所定の課金体系において、課金額が減少するようにトナー消費量を削減するようにしたものである。
【００７０】
図４は、実施の形態２において適用される課金体系を定義する課金テーブルの一例を示す図である。図４に示すように、この課金体系では、カラー印刷の場合、課金額が、カラー印字率の複数レンジのそれぞれに対応した額とされ、また、モノクロ印刷の場合、ブラック印字率の複数レンジのそれぞれに対応した額とされる。この課金テーブルは、例えば、記憶装置１４に予め格納されている。
【００７１】
実施の形態２では、画像処理部２３は、印字率計算部２４により計算されたカラー印字率に対応するレンジ（中印字レンジまたは高印字レンジ）より課金額が低いレンジにカラー印字率が入るように、トナー削減画像処理を実行する。つまり、低印字レンジ、中印字レンジ、高印字レンジの順に課金額が高くなっており、カラー印字率が中印字レンジに属する場合、カラー印字率が低印字レンジに入るようにトナー削減画像処理が実行され、カラー印字率が高印字レンジに属する場合、カラー印字率が中印字レンジに入るようにトナー削減画像処理が実行される。
【００７２】
なお、実施の形態２に係る画像形成装置のその他の構成については、実施の形態１のものと同様であるので、その説明を省略する。
【００７３】
次に、実施の形態２に係る画像形成装置の動作について説明する。図５は、実施の形態２に係る画像形成装置の動作について説明するフローチャートである。
【００７４】
印字率計算部２４は、印字対象の１ページ分の画像について、画像データまたは印刷データから各トナー色の印字率を計算し、ブラック印字率、カラー印字率、およびモノクロ比率を特定する（ステップＳ２１）。また、印字率計算部２４は、課金テーブルを参照して、ブラック印字率およびカラー印字率に基づいて、そのページの課金額を特定する（ステップＳ２１）。さらに、印字率計算部２４は、カラー印字率が低印字レンジに属する場合には、カラー低印字カウンターをカウントアップし、モノクロ比率が高モノクロ比率レンジに属する場合には、高モノクロ比率カウンターをカウントアップする（ステップＳ２２）。
【００７５】
そして、判定部２５は、特定された課金額が所定の額を超えているか否かを判定する（ステップＳ２３）。
【００７６】
特定された課金額が所定の額を超えている場合には、高モノクロ比率カウンターが所定の閾値を超えているか、またはカラー低印字カウンターが所定の閾値を超えているときには（ステップＳ２４，Ｓ２５）、判定部２５は、特定されたカラー印字率が、目標となる課金額に対応する印字率となるように、トナー削減画像処理の強度を設定し、トナー削減画像処理を、画像処理部２３に実行させる（ステップＳ２６）。例えば、上述の黒生成処理において、特定されたカラー印字率と、目標となる課金額に対応する印字率とに基づいて、黒以外の色から生成される黒の量が設定される。
【００７７】
そして、画像処理部２３は、トナー削減画像処理を画像データに施し、トナー削減画像処理を施した画像データから印刷データを生成し、その印刷データをコントローラー２６に供給する。あるいは、画像処理部２３は、トナー削減画像処理を印刷データに施し、トナー削減画像処理を施した印刷データをコントローラー２６に供給する。コントローラー２６は、供給された印刷データに基づいて１ページの画像の印刷を実行させる（ステップＳ２７）。
【００７８】
一方、特定された課金額が所定の額を超えていない場合、または、特定された課金額が所定の額を超えているが、高モノクロ比率カウンターが所定の閾値以下であり、かつカラー低印字カウンターが所定の閾値以下であるときには、トナー削減画像処理は実行されない。したがって、この場合、画像処理部２３は、トナー削減画像処理を実行せずに、画像データから印刷データを生成し、その印刷データをコントローラー２６に供給する。コントローラー２６は、供給された印刷データに基づいて１ページの画像の印刷を実行させる（ステップＳ２７）。
【００７９】
以上のように、上記実施の形態２によれば、第１および第２の指標に基づいて、画質が比較的重視されない場合が自動的に検出され、その場合に、画質をほとんど低下させずにトナー消費量と課金額が低減される。ここで、第１の指標は、過去のカラー印字率および過去のブラック印字率に基づく、カラー印字に対比したモノクロ印字の相対的な割合を示し、第２の指標は、過去のカラー印字率に基づく、カラー印字の絶対的な量を示す。具体的には、実施の形態１では、第１の指標は、高モノクロ比率カウンターの値であり、第２の指標は、カラー低印字カウンターの値である。
【００８０】
つまり、カラー印字率に対応する課金額で、まず、この印刷対象の画像に対してトナー削減画像処理が必要であるか否かが判定され（ステップＳ２３）、次に、カラーに関する過去の傾向（高モノクロ比率カウンターの値およびカラー低印字カウンターの値）で、カラー印字が重視されているか否かが（ユーザーごとに）判定される（ステップＳ２４，Ｓ２５）。このように、印刷対象の課金額とカラーに関する過去の傾向とから、課金額と画質のどちらを優先するかが自動的に検出される。
【００８１】
実施の形態３．
【００８２】
本発明の実施の形態３に係る画像形成装置は、実施の形態１または実施の形態２と同様の基本的構成を有する。ただし、実施の形態３では、トナー削減画像処理として、画像の高濃度部分の濃度を低くする処理が実行される。
【００８３】
図６は、実施の形態３において、ＣＭＹＫ各色に適用されるトナー削減画像処理についてのガンマ補正の特性の一例を示す図である。実施の形態３では、画像処理部２３は、ＣＭＹＫ各色の画像データまたは印刷データに対して、図６に示すような特性でガンマ補正を行う。つまり、各画素について、画素の濃度が上限濃度Ｔｈ以上である場合、その画素の濃度を上限濃度Ｔｈとする。この上限濃度Ｔｈは、特定されたカラー印字率、または特定されたカラー印字率および課金額削減のために目標となるカラー印字率に応じて調整されるようにしてもよい。また、画像処理部２３は、ガンマ補正と上述の黒生成処理の両方を行うようにしてもよいし、一方のみを行うようにしてもよい。
【００８４】
なお、実施の形態３に係る画像形成装置のその他の構成および動作については、実施の形態１または実施の形態２の同様であるので、その説明を省略する。
【００８５】
以上のように、上記実施の形態３によれば、高濃度領域は、トナー増減量に対比して印字濃度の増減が少ないため、トナー削減画像処理として、各トナー色について、画像の高濃度部分の濃度を低くするガンマ補正を行うことで、印字色を保持しつつトナー消費量が削減される。つまり、印刷対象画像内のカラー領域が、配色を変化されずにカラー領域として印刷される。
【００８６】
実施の形態４．
【００８７】
本発明の実施の形態４に係る画像形成装置は、実施の形態１〜３のいずれかと同様の構成に加え、上述の第１および第２の指標を、ユーザーごとに特定し、画像処理部２３は、ユーザー設定情報に基づいて、上述のトナー削減画像処理を実行するか否かを決定する。つまり、ユーザーにより、ユーザー設定情報において、トナー削減画像処理の実行を許可する設定が行われている場合には、上述のようにしてトナー削減画像処理が必要な場合に適宜実行され、トナー削減画像処理の実行を許可する設定が行われていない場合には、トナー削減画像処理の実行が禁止される。
【００８８】
以上のように、上記実施の形態４によれば、各ユーザーが、自己の印刷物について、トナー削減画像処理の実行の可否を設定することができる。
【００８９】
なお、上述の各実施の形態は、本発明の好適な例であるが、本発明は、これらに限定されるものではなく、本発明の要旨を逸脱しない範囲において、種々の変形、変更が可能である。
【００９０】
例えば、上記実施の形態１〜４では、印刷要求処理部２２が、ホスト装置から供給される印刷要求内にあるユーザーＩＤに基づいて、印刷要求を行ったユーザーを特定し、印字率計算部２４は、その特定されたユーザーについての印字率データ３１を更新するとともに、判定部２５は、そのユーザーについての印字率データ３１に基づいて、上述の判定（ステップＳ４，Ｓ５，Ｓ２４，Ｓ２５）を実行する。
【００９１】
また、上記実施の形態１〜４において、カラー印字率は、ＣＭＹそれぞれの色の印字率の平均値としてもよい。
【産業上の利用可能性】
【００９２】
本発明は、例えば、電子写真方式のカラー画像形成装置に適用可能である。
【符号の説明】
【００９３】
２３  画像処理部
２４  印字率計算部
２５  判定部
【図１】
0005713935.tif 000002
【図２】
0005713935.tif 000003
【図３】
0005713935.tif 000004
【図４】
0005713935.tif 000005
【図５】
0005713935.tif 000006
【図６】
0005713935.tif 000007